(57)【要約】【課題】様々な化粧品を気軽に使用することを可能とする化粧シート作成システムを提供する。【解決手段】端末が、ある利用者の体の一部を撮影して得られた立体画像を表示させる表示制御部、範囲情報及び指定された化粧品を識別するための識別情報を取得する取得部、範囲情報及び識別情報を示す第１のデータと、輪郭情報、及び輪郭情報に基づいてカットしたシートをある利用者の体の一部に沿って貼り付けるための切り込み位置情報を示す第２のデータと、を含む加工データを生成する生成部を有し、印刷装置が、第１のデータに基づいてシートから剥離可能な状態で化粧品を印刷するよう印刷部を制御し、且つ第２のデータに基づいてシートをカットするようカット部を制御する制御部を有する化粧シート作成システム。【選択図】図５
2020185109.tif 000002
【特許請求の範囲】
【請求項１】
端末と、
利用者の体の一部に貼り付けて剥がすことが可能なシートに化粧品を印刷する印刷部、及び前記化粧品が印刷されたシートをカットするカット部を有する印刷装置と、
を有する化粧シート作成システムであって、
前記端末は、
ある利用者の体の一部を撮影して得られた立体画像を前記端末の表示手段に表示させる表示制御部と、
前記ある利用者が前記立体画像に対して化粧品を塗布する範囲、及び塗布する前記化粧品を指定した場合、前記範囲を示す範囲情報、及び指定された前記化粧品を識別するための識別情報を取得する取得部と、
前記範囲情報及び前記識別情報を示す第１のデータと、シートを、化粧品が印刷された部分を含む所望の形状にカットするための輪郭情報、及び前記輪郭情報に基づいてカットした前記シートを前記ある利用者の体の一部に沿って貼り付けるための切り込み位置情報を示す第２のデータと、を含む加工データを生成する生成部と、
を有し、
前記印刷装置は、
前記第１のデータに基づいて、前記シートから剥離可能な状態で前記化粧品を印刷するよう前記印刷部を制御し、且つ前記第２のデータに基づいて、前記シートをカットするよう前記カット部を制御する制御部を有する、
化粧シート作成システム。
【発明の詳細な説明】
【技術分野】
【０００１】
本発明は、化粧シート作成システムに関する。
【背景技術】
【０００２】
化粧品の利用者は、自分の好みに合った色や素材（たとえばオーガニック素材、ラメ素材）を選んで購入する。
【０００３】
一方で、利用者は、その日の気分に応じて、普段と違う色使いや素材を試してみたいと考えることもある。しかし、化粧品は高価であるため、使用する頻度が低い色や素材の商品を購入することは一般的ではない。
【０００４】
そこで、たとえば、スマートフォンのような携帯端末を用いて、自らの顔を撮影した写真に様々な化粧を行うことができるアプリケーションソフトウェアが知られている（非特許文献１参照）。
【０００５】
また、専用の鏡、及び専用のプリンタを用いることにより、シミ隠し用の化粧顔料が印刷されたシートをオーダーメイドで作成するサービスが検討されている（非特許文献２参照）。
【先行技術文献】
【特許文献】
【０００６】
【非特許文献１】“ＭａｋｅｕｐＰｌｕｓ”  Ａｐｐ  Ｓｔｏｒｅホームページ、［平成３１年４月２３日検索］、インターネット＜ＵＲＬ：https://itunes.apple.com/jp/app/makeupplus/id973337925?mt=8＞
【非特許文献２】“ＩＴｍｅｄｉａ  ＮＥＷＳ”  ２０１６年１１月１８日公開、アイティメディア株式会社、［平成３１年４月２３日検索］、インターネット＜ＵＲＬ：https://www.itmedia.co.jp/news/articles/1611/17/news148.html＞
【発明の概要】
【発明が解決しようとする課題】
【０００７】
非特許文献１に開示されているアプリケーションソフトウェアは、実際の化粧を疑似的に体験できるに過ぎない。よって、携帯端末上で気に入った化粧ができたとしても、同じ化粧を実際に行うためには化粧品を購入する必要がある。
【０００８】
また、化粧品を使用する人体の部位（たとえば顔や手）は立体的な形状であり、また同じ部位であっても人によって形状が大きく異なる。一方、非特許文献２のサービスにより得られるシートは、人体の部位の形状を考慮したものではない。従って、実際にシートを顔に貼り付けた場合であっても、上手くシミが隠れない可能性がある。更に、非特許文献２のサービスにより得られるシートは、シートを顔に貼り付けた状態で利用するものである。従って、実際にシートを顔に貼り付けた場合に、シートと顔の皮膚との境界が目立つ可能性がある。そのため、医療用に用いられるナノシートのような、特殊なシートを使用する必要がある。
【０００９】
本発明の目的は、様々な化粧品を気軽に使用することを可能とする化粧シート作成システムを提供することにある。
【課題を解決するための手段】
【００１０】
上記目的を達成するための一の発明は、端末と、利用者の体の一部に貼り付けて剥がすことが可能なシートに化粧品を印刷する印刷部、及び前記化粧品が印刷されたシートをカットするカット部を有する印刷装置と、を有する化粧シート作成システムであって、前記端末は、ある利用者の体の一部を撮影して得られた立体画像を前記端末の表示手段に表示させる表示制御部と、前記ある利用者が前記立体画像に対して化粧品を塗布する範囲、及び塗布する前記化粧品を指定した場合、前記範囲を示す範囲情報、及び指定された前記化粧品を識別するための識別情報を取得する取得部と、前記範囲情報及び前記識別情報を示す第１のデータと、シートを、化粧品が印刷された部分を含む所望の形状にカットするための輪郭情報、及び前記輪郭情報に基づいてカットした前記シートを前記ある利用者の体の一部に沿って貼り付けるための切り込み位置情報を示す第２のデータと、を含む加工データを生成する生成部と、を有し、前記印刷装置は、前記第１のデータに基づいて、前記シートから剥離可能な状態で前記化粧品を印刷するよう前記印刷部を制御し、且つ前記第２のデータに基づいて、前記シートをカットするよう前記カット部を制御する制御部を有する、化粧シート作成システムである。
本発明の他の特徴については、本明細書の記載により明らかにする。
【発明の効果】
【００１１】
本発明によれば、利用者が様々な化粧品を気軽に使用することができる。
【図面の簡単な説明】
【００１２】
【図１】実施形態で説明する化粧シート作成システムを示した図である。
【図２】実施形態で説明する端末の構成を示した図である。
【図３】実施形態で説明する端末の表示画面を示した図である。
【図４】実施形態で説明する印刷装置の構成を示した図である。
【図５】実施形態で説明する化粧シート作成システムの動作を説明するフローチャートである。
【発明を実施するための形態】
【００１３】
＝＝化粧シート作成システム＝＝
図１に示すように、化粧シート作成システム１は、端末Ｔと印刷装置Ｐを含む。
【００１４】
端末Ｔは、利用者Ｕからの入力を受け付け、加工データ（後述）を作成する装置である。端末Ｔは、たとえば利用者Ｕが所有する、スマートフォンのような携帯端末や、据え置き型のコンピューターである。或いは、端末Ｔは、化粧品の販売店舗に設置された専用のコンピューターであってもよい。
【００１５】
印刷装置Ｐは、シートに化粧品を印刷したり、化粧品が印刷されたシートをカットする装置である。
【００１６】
化粧品は、化粧水のような基礎化粧品、ファンデーションやチークのようなメーキャップ化粧品等、利用者の体の一部に塗布するものである。シートは、利用者の体の一部に貼り付けて剥がすことができる部材である。シートは、柔軟性、皮膚への密着性、生体適合性を有することが好ましい。具体例として、シートは、ＰＥＴ（Ｐｏｌｙｅｔｈｙｌｅｎｅ  ｔｅｒｅｐｈｔａｈａｌａｔｅ）フィルムや布材料、紙材料のような薄い材料を用いることができる。或いは、シートとして、非特許文献２に開示されているナノシートのような特殊なシートを用いてもよい。１枚のシートから複数枚の化粧シートを作成することができる。
【００１７】
＝＝端末＝＝
図２に示すように、端末Ｔは、記憶手段１０、通信手段２０、表示手段３０、入力手段４０、及び制御手段５０を有する。各構成はインターフェース（図示なし）を介してバスＢに接続されている。
【００１８】
［記憶手段、通信手段、表示手段、入力手段］
記憶手段１０は、各種のデータを記憶する大容量の記憶装置である。通信手段２０は、印刷装置Ｐとの通信を行うためのインターフェースを提供する。表示手段３０は、各種情報を表示させるディスプレイである。入力手段４０は、利用者Ｕが各種指示入力を行うための構成である。なお、表示手段３０がタッチパネル形式で構成されており、入力手段４０として機能してもよい。
【００１９】
［制御手段］
制御手段５０は、端末Ｔにおける各種の制御を行う。制御手段５０は、ＣＰＵおよびメモリ（いずれも図示無し）を備える。ＣＰＵは、メモリに記憶されたプログラムを実行することにより各種の機能を実現する。
【００２０】
本実施形態において、端末Ｔには、化粧シート作成システム１を利用するための専用アプリケーションソフトウェア（以下、「化粧アプリ」）がインストールされている。化粧アプリは、表示手段３０に表示された利用者Ｕの体の一部（たとえば、顔や手）の立体画像に対して、（仮想の）化粧品を塗布することで、様々な化粧を疑似的に体験できるものである。化粧アプリは、アプリケーション提供サイト等からダウンロードすることで入手できる。
【００２１】
利用者Ｕが端末Ｔで化粧アプリを起動することにより、制御手段５０は、表示制御部５０ａ、取得部５０ｂ、及び生成部５０ｃとして機能する。
【００２２】
（表示制御部）
表示制御部５０ａは、化粧品アプリを実行した際の各種表示に関する制御を行う。具体的に、表示制御部５０ａは、ある利用者の体の一部を撮影して得られた立体画像を端末Ｔの表示手段３０に表示させる。
【００２３】
立体画像は、たとえば、ＳＣＵＶＥ  Ｇ４  ＳＥＲＩＥＳＥ（株式会社スペースビジョン製）、ＡＲＴＥＣ  ３Ｄスキャナ（ＡＲＴＥＣ社製）といった公知の撮影装置により予め取得しておくことができる。また、端末Ｔが立体撮影用の機能を有している場合、化粧アプリを起動させた際に、専用の撮影モードが実行されることでもよい。或いは、端末Ｔに予め公知のソフトウェアをインストールしておくことにより、端末Ｔに搭載されているカメラで撮影した画像から立体画像を生成することも可能である。公知のソフトウェアとしては、たとえば、ＭＥＴＡＳＨＡＰＥ  ＳＴＡＮＤＡＲＤ（株式会社オーク製）を用いることができる。
【００２４】
図３は、表示手段３０の表示画面の一例を示している。図３の例では、立体画像Ｆと併せて、複数の化粧品（図３では化粧品Ｃ１〜Ｃ１２）に対応する化粧品アイコンＭＩ、化粧品を立体画像Ｆに塗布するためのブラシアイコンＢＩ、及びプリントアイコンＰＩが表示されている。利用者Ｕは、複数の化粧品アイコンＭＩの中から任意のアイコンを選択し、ブラシアイコンＢＩを操作しながら、チークであれば立体画像における頬周辺、口紅であれば立体画像における唇の範囲を指定して疑似的な化粧を行う。立体画像に対して好みの化粧を行った後、利用者Ｕは、プリントアイコンＰＩを選択することで化粧シートの印刷を指示する。なお、図３においては、利用者Ｕが、範囲Ｅに対して化粧品Ｃ１を選択した例を示している。
【００２５】
（取得部）
取得部５０ｂは、ある利用者が立体画像に対して化粧品を塗布する範囲、及び塗布する化粧品を指定した場合、範囲を示す範囲情報、及び指定された化粧品を識別するための識別情報を取得する。
【００２６】
具体的に、範囲情報は、化粧品を実際の体に塗布する際の範囲を、立体画像上で指定したものである。識別情報は、化粧品の色や種類を示す情報である。
【００２７】
たとえば、化粧シートの印刷の指示があった場合、取得部５０ｂは、その時点において表示されている立体画像から利用者が指定した範囲（図３であれば範囲Ｅ）を示す範囲情報を取得する。同様に、取得部５０ｂは、範囲情報に対応する部分で選択されている化粧品の色や種類（図３でれば化粧品Ｃ１に関する色や種類）を識別情報として取得する。
【００２８】
（生成部）
生成部５０ｃは、第１のデータ及び第２のデータを含む加工データを生成する。
【００２９】
加工データは、印刷装置Ｐにおいて化粧シートを作成する際に使用されるデータである。第１のデータは、取得部５０ｂで取得された範囲情報及び識別情報を示す。第２のデータは、輪郭情報及び切込み位置情報を示す。
【００３０】
輪郭情報は、シートを、化粧品が印刷された部分を含む所望の形状にカットするための情報である。所望の形状は、体の部位毎（たとえば、頬、額、眉）に予め一定の形状が設定されていてもよいし、化粧アプリ上で印刷の指示を行う際に、利用者が都度設定してもよい。
【００３１】
切込み位置情報は、輪郭情報に基づいてカットしたシートをある利用者の体の一部に沿って貼り付けるための情報である。
【００３２】
人体の部位は立体的な形状である。従って、輪郭情報に基づいてカットしたシートをそのまま貼り付けたとしても、皮膚に対する密着性が悪い場合や、本来貼りたい場所に貼り付けることが難しく位置ずれを起こす場合がある。そこで、シートを貼り付ける体の一部の形状を考慮して、シートに切込みを入れることで、皮膚に対する密着性を高めることができ、また位置ずれも生じ難くすることができる。
【００３３】
切込みは、利用者の立体画像に基づいて、最適な位置や数が設定される。たとえば、化粧アプリの事業者が収集した大量の立体画像に相当するデータに基づいて、最適な切込み位置を設定することができる。
【００３４】
＝＝印刷装置＝＝
印刷装置Ｐは、印刷機能及びカット機能を有する装置（所謂、プリントアンドカット機）である。図４に示すように、印刷装置Ｐは、印刷部６０、カット部７０、及び制御部８０を有する。
【００３５】
印刷部６０は、シートに化粧品を印刷する。具体的に、印刷部６０は、従来の装置と同様、シートに対して化粧品を吐出する印刷ヘッドや、化粧品毎の複数のカートリッジ、シートに対して印刷ヘッドを移動させるための移動機構等を有する。なお、化粧品が充填されたカートリッジを備えていてもよいし、顔料が充填されたカートリッジと染料が充填されたカートリッジを備えていてもよい。後者の場合、利用者が選択した化粧品に応じて、印刷部６０内で顔料と染料の配合を行う。或いは、たとえばチーク用にＣＭＹＫの４色系（またはＲＧＢの３色系）に対応するカートリッジを設け、利用者の選択した色に応じて印刷部６０内で調色を行ってもよい。
【００３６】
カット部７０は、化粧品が印刷されたシートをカットする。具体的に、カット部７０は、従来の装置と同様、シートをカットするための刃部やシートに対して刃部を移動させるための移動機構等を有する。なお、刃部の代わりにレーザー光を用いてシートをカットしてもよい。この場合、カット部７０は、刃部の代わりにレーザー光を照射する照射部を有する。
【００３７】
制御部８０は、印刷装置Ｐの各種制御を行う。本実施形態において、制御部８０は、第１のデータに基づいて、シートから剥離可能な状態で化粧品を印刷するよう印刷部６０を制御し、且つ第２のデータに基づいて、シートをカットするようカット部７０を制御する。
【００３８】
たとえば、図３の例に基づく印刷指示があった場合、制御部８０は、印刷部６０に対し、化粧品Ｃ１のカートリッジを選択し、シートに対し、化粧品Ｃ１を範囲Ｅに相当するサイズで印刷するよう指示を行う。印刷部６０は、化粧品Ｃ１をシートに吐出することで印刷を行う。
【００３９】
次に、制御部８０は、カット部７０に対し、化粧品Ｃが印刷されたシートを、輪郭情報に基づいて範囲Ｅを含む所望の形状にカットするよう指示を行う。また、制御部８０は、カット部７０に対し、切込み位置情報に基づいて、切込みを形成するよう指示を行う。
【００４０】
この結果、範囲Ｅ１に相当するサイズで化粧品Ｃ１が印刷された化粧シートが得られる。なお、予め印刷する枚数を指定することにより、同じ化粧シートを複数印刷することができる。
【００４１】
＝＝化粧シート作成システムにおける処理について＝＝
次に、図５を参照して本実施形態に係る化粧シート作成システム１における処理について述べる。図５は、化粧シート作成システム１における処理を示すフローチャートである。この例では、利用者Ｕの体の一部を撮影した立体画像が予め取得されているとする。
【００４２】
端末Ｔの表示制御部５０ａは、利用者Ｕの立体画像を表示手段３０に表示させる（立体画像の表示。ステップ１０）。
【００４３】
利用者Ｕが立体画像に対して化粧品を塗布する範囲、及び塗布する化粧品を指定した場合、取得部５０ｂは、範囲を示す範囲情報、及び指定された化粧品を識別するための識別情報を取得する（範囲情報及び識別情報の取得。ステップ１１）。
【００４４】
生成部５０ｃは、ステップ１１で取得された範囲情報及び識別情報を示す第１のデータと、シートを、化粧品が印刷された部分を含む所望の形状にカットするための輪郭情報、及び輪郭情報に基づいてカットしたシートを利用者Ｕの体の一部に沿って貼り付けるための切り込み位置情報を示す第２のデータと、を含む加工データを生成する（加工データの生成。ステップ１２）。生成部５０ｃは、ステップ１２で生成した加工データを印刷装置Ｐに送信する。
【００４５】
印刷装置Ｐの制御部８０は、第１のデータに基づいて、シートから剥離可能な状態で化粧品を印刷するよう印刷部６０を制御する（化粧品の印刷。ステップ１３）。
【００４６】
次に、制御部８０は、第２のデータに基づいて、ステップ１３で化粧品が印刷されたシートをカットするようカット部７０を制御する（化粧品が印刷されたシートをカット。ステップ１４）。このような処理により、化粧シートが完成する（化粧シートの完成。ステップ１５）。
【００４７】
＝＝化粧シートの使用方法＝＝
利用者Ｕは、作成された化粧シートを、立体画像上で化粧品を塗布した位置に対応する実際の体の部位に貼り付ける。この際、化粧シートには、体の形状を反映した切込みが設けられているため、体の部位に沿って化粧シートを密着させることができる。
【００４８】
その後、利用者Ｕは、貼り付けた化粧シートを剥がす。ここで、本実施形態における化粧品は、シートから剥離可能な状態で印刷されている。すなわち、化粧シートを皮膚に貼り付けた後、化粧シートを皮膚から剥がした場合には、化粧品がシートから剥離し皮膚に残る。従って、シート自体が皮膚に残ることが無いため、皮膚とシートの境界が目立つこともない。
【００４９】
このように、本実施形態に係る化粧シート作成システム１は、端末Ｔと、利用者の体の一部に貼り付けて剥がすことが可能なシートに化粧品を印刷する印刷部６０、及び化粧品が印刷されたシートをカットするカット部７０を有する印刷装置Ｐと、を有する。端末Ｔは、ある利用者の体の一部を撮影して得られた立体画像を端末Ｔの表示手段３０に表示させる表示制御部５０ａと、ある利用者が立体画像に対して化粧品を塗布する範囲、及び塗布する化粧品を指定した場合、範囲を示す範囲情報、及び指定された化粧品を識別するための識別情報を取得する取得部５０ｂと、範囲情報及び識別情報を示す第１のデータと、シートを、化粧品が印刷された部分を含む所望の形状にカットするための輪郭情報、及び輪郭情報に基づいてカットしたシートをある利用者の体の一部に沿って貼り付けるための切り込み位置情報を示す第２のデータと、を含む加工データを生成する生成部５０ｃと、を有する。印刷装置Ｐは、第１のデータに基づいて、シートから剥離可能な状態で化粧品を印刷するよう印刷部６０を制御し、且つ第２のデータに基づいて、シートをカットするようカット部７０を制御する制御部８０を有する。
【００５０】
このような化粧シート作成システム１によれば、利用者は専用の化粧アプリを利用することで様々な化粧品が印刷された化粧シートを入手することができる。よって、都度、化粧品を購入する必要が無い。すなわち、化粧シート作成システム１によれば、利用者は様々な化粧品を気軽に使用することができる。また、化粧シートは持ち運びが簡便なため、従来のように、外出時に大量の化粧品を持参する必要が無くなる。また、化粧シート作成システム１で作成された化粧シートは、利用者の体の形状を反映した切込みが形成されている。よって、皮膚に貼り付けた際の密着性が高まり、且つ貼り付ける際の位置ずれが生じ難い。更に、化粧シート作成システム１で作成された化粧シートは、化粧品を皮膚に塗布した後に皮膚から剥がすため、シートと皮膚との境界が目立つこともない。
【００５１】
＝＝その他＝＝
上記実施形態は、発明の例として提示したものであり、発明の範囲を限定するものではない。上記の構成は、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００５２】
１  化粧シート作成システム
５０ａ  表示制御部
５０ｂ  取得部
５０ｃ  生成部
６０  印刷部
７０  カット部
８０  制御部
Ｐ  印刷装置
Ｔ  端末
【図１】
2020185109.tif 000003
【図２】
2020185109.tif 000004
【図３】
2020185109.tif 000005
【図４】
2020185109.tif 000006
【図５】
2020185109.tif 000007